(57)【要約】【課題】操作面に傷がつくことを防止することが可能な、筆記装置、システム及び筆記方法を提供する。【解決手段】筆記対象に対して記入する筆記部と、前記筆記部が記入しようとする前記筆記対象を検出する筆記対象検出部と、前記筆記対象検出部の検出結果に基づいて、前記筆記部の筆記状態を切り替える制御を行う切替制御部とを備える、筆記装置を提供する。【選択図】図７
2017215632.tif 000002
【特許請求の範囲】
【請求項１】
筆記対象に対して記入する筆記部と、
前記筆記部が記入しようとする前記筆記対象を検出する筆記対象検出部と、
前記筆記対象検出部の検出結果に基づいて、前記筆記部の筆記状態を切り替える制御を行う切替制御部と、
を備える、筆記装置。
【請求項２】
前記筆記対象は、前記筆記部の接触に伴って発生する電子記入情報を受け付ける操作装置、又は、前記筆記部によって記入することが可能な紙状媒体である、請求項１に記載の筆記装置。
【請求項３】
前記筆記部の前記筆記状態は、前記操作装置に対応する第１の筆記状態と、前記紙状媒体に対応する第２の筆記状態とを含む、請求項２に記載の筆記装置。
【請求項４】
前記切替制御部の制御に従って、前記筆記部の前記筆記状態を切り替える切替機構をさらに備える、請求項２又は３に記載の筆記装置。
【請求項５】
前記紙状媒体に実筆記する実筆記部材をさらに備え、
前記切替機構は、前記実筆記部材を移動させることにより、前記筆記部の前記筆記状態を切り替える、請求項４に記載の筆記装置。
【請求項６】
前記操作装置に電子筆記する電子筆記部材をさらに備え、
前記切替機構は、前記電子筆記部材を移動させることにより、前記筆記部の前記筆記状態を切り替える、請求項４又は５に記載の筆記装置。
【請求項７】
筆記対象に対して記入する筆記部、前記筆記部が記入しようとする前記筆記対象を検出する筆記対象検出部、及び、前記筆記対象検出部の検出結果に基づいて、前記筆記部の筆記状態を切り替える制御を行う切替制御部を有する筆記装置と、
前記筆記部の接触に伴って発生する電子記入情報を受け付ける装置と、
を含む、システム。
【請求項８】
筆記対象に対して記入する筆記部を有する筆記装置を用いた筆記方法であって、
前記筆記部が記入しようとする筆記対象を検出し、
前記検出の結果に基づいて、前記筆記部の筆記状態を切り替える制御を行う、
ことを含む筆記方法。
【発明の詳細な説明】
【技術分野】
【０００１】
本発明は、筆記装置、システム及び筆記方法に関する。
【背景技術】
【０００２】
近年、電子ペン等のポインティングデバイスを用いて入力された文字、数字、記号等を認識する技術が普及し始めている。例えば、操作面を搭載したタブレットＰＣ（Ｐｅｒｓｏｎａｌ  Ｃｏｍｐｕｔｅｒ）やスマートフォン等のデバイスにおいては、操作面上で電子ペンの移動が検出されると、操作面上での操作体の移動の軌跡に基づいて、文字、数字、記号等が認識される。そして、認識された文字、数字、記号等の認識結果がデータとしてタブレットＰＣ等の入力装置に入力される。このような技術は、ペーパーレス化によるコスト削減等を図ることができるため、普及が進み始めている。
【０００３】
上述のような技術を利用したシステムや当該システムで用いられる電子ペンについては、例えば、下記の特許文献１及び２に開示されている。より具体的には、特許文献１には、操作面に記入するための記入用のペン先と、操作面に記入された情報のうち送信する範囲を指定するための指定用のペン先とを切り替えることができる電子ペンが開示されている。また、特許文献２には、ユーザの利き腕を検出することができる電子ペンが開示されている。
【先行技術文献】
【特許文献】
【０００４】
【特許文献１】特開２０１２−２５６０８８号公報
【特許文献２】特開平７−１２１２８９号公報
【発明の概要】
【発明が解決しようとする課題】
【０００５】
しかし、電子ペンの代わりに、ユーザが誤ってボールペン等の筆記具を用いて操作面に入力操作してしまうことがあり、このような場合、当該筆記具により操作面を傷つけてしまうという問題があった。
【０００６】
そこで、本発明は、上記問題に鑑みてなされたものであり、本発明の目的とするところは、操作面に傷がつくことを防止することが可能な、新規かつ改良された筆記装置、システム及び筆記方法を提供することにある。
【課題を解決するための手段】
【０００７】
上記課題を解決するために、本発明のある観点によれば、筆記対象に対して記入する筆記部と、前記筆記部が記入しようとする前記筆記対象を検出する筆記対象検出部と、前記筆記対象検出部の検出結果に基づいて、前記筆記部の筆記状態を切り替える制御を行う切替制御部とを備える、筆記装置が提供される。
【０００８】
前記筆記対象は、前記筆記部の接触に伴って発生する電子記入情報を受け付ける操作装置、又は、前記筆記部によって記入することが可能な紙状媒体であってもよい。
【０００９】
前記筆記部の前記筆記状態は、前記操作装置に対応する第１の筆記状態と、前記紙状媒体に対応する第２の筆記状態とを含んでもよい。
【００１０】
前記筆記装置は、前記切替制御部の制御に従って、前記筆記部の前記筆記状態を切り替える切替機構をさらに備えてもよい。
【００１１】
前記筆記装置は、前記紙状媒体に実筆記する実筆記部材をさらに備え、前記切替機構は、前記実筆記部材を移動させることにより、前記筆記部の前記筆記状態を切り替えてもよい。
【００１２】
前記筆記装置は、前記操作装置に電子筆記する電子筆記部材をさらに備え、前記切替機構は、前記電子筆記部材を移動させることにより、前記筆記部の前記筆記状態を切り替えてもよい。
【００１３】
また、上記課題を解決するために、本発明の別の観点によれば、筆記対象に対して記入する筆記部、前記筆記部が記入しようとする前記筆記対象を検出する筆記対象検出部、及び、前記筆記対象検出部の検出結果に基づいて、前記筆記部の筆記状態を切り替える制御を行う切替制御部を有する筆記装置と、前記筆記部の接触に伴って発生する電子記入情報を受け付ける操作装置とを含む、システムが提供される。
【００１４】
また、上記課題を解決するために、本発明のさらなる別の観点によれば、筆記対象に対して記入する筆記部を有する筆記装置を用いた筆記方法であって、前記筆記部が記入しようとする筆記対象を検出し、前記検出の結果に基づいて、前記筆記部の筆記状態を切り替える制御を行う、ことを含む筆記方法が提供される。
【発明の効果】
【００１５】
以上説明したように本発明によれば、操作面に傷がつくことを防止することが可能である。
【図面の簡単な説明】
【００１６】
【図１】本発明の第１の実施形態に係るシステム１の構成例を示す説明図である。
【図２】第１の実施形態に係る情報処理装置１０の外観を示した説明図である。
【図３】第１の実施形態に係る書類２０の一例を説明する説明図である。
【図４】第１の実施形態に係る拡張ユニット１４における制御系のブロック図である。
【図５】第１の実施形態に係る筆記装置５０の構成例を示す説明図である。
【図６】第１の実施形態に係る筆記装置５０における制御系のブロック図である。
【図７】第１の実施形態に係る筆記方法のフローチャートである。
【図８】第２の実施形態に係る筆記装置５２の構成例を示す説明図である。
【図９】第２の実施形態に係る筆記方法のフローチャートである。
【図１０】本発明の変形例に係るシステム２の構成例を示す説明図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
＜＜＜第１の実施形態＞＞＞
＜＜システム１＞＞
まず、図１を参照して、本発明の第１の実施形態にかかるシステム１の構成例について説明する。図１は、本実施形態にかかるシステム１の構成例を示す説明図である。図１に示すように、本実施形態にかかるシステム１は、例えば、情報処理装置１０と、筆記装置５０とを含んで構成される。以下に、システム１に含まれる情報処理装置１０と、筆記装置５０とについて説明する。
【００１９】
＜情報処理装置１０＞
情報処理装置１０は、例えば金融機関の顧客（ユーザ）による操作に基づいて現金の入出金の取引を実行したり、遠隔地のオペレータに誘導されることにより銀行口座の開設を行ったりする顧客操作型端末である。情報処理装置１０は、例えば金融機関の支店内に設置される。しかしながら、本実施形態においては、情報処理装置１０は、金融機関の支店内に設置されることに限定されるものではない。例えば、情報処理装置１０は、コンビニエンスストア、駅構内、ホテル、病院、アミューズメントパーク、飲食店、オフィスビルディングなどの多様な施設に設置されてもよい。また、情報処理装置１０は、専用網（図示省略）を介して、遠隔地にあるホスト（図示省略）等との間で通信を行うことが可能である。なお、情報処理装置１０の詳細構成については、後で説明する。
【００２０】
＜筆記装置５０＞
筆記装置５０は、情報処理装置１０に対して入力操作を行う際に用いる、ポインティングデバイスである。詳細には、筆記装置５０のペン先部（筆記部）５００ａ（図５参照）を、情報処理装置１０の操作表示部１５４（図２参照）に接触させることで、情報処理装置１０は、筆記装置５０のペン先部５００ａが接触した位置の座標等の、筆記装置５０の操作表示部１５４への接触に伴って発生する電子記入情報（以下「デバイス情報」とも称する）を取得することができる。さらに、当該筆記装置５０は、帳票類のような書類（紙状媒体）２０（図３参照）に対して実筆記する筆記具として機能することもできる。すなわち、当該筆記装置５０の筆記対象は、筆記装置５０の接触に伴って発生するデバイス情報を受け付ける情報処理装置１０、及び、実筆記により記入することができる書類２０である。なお、以下の説明において、実筆記とは、ボールペン、サインペン、シャープペン、鉛筆等の筆記具のように、紙状媒体に筆記することを意味する。また、筆記装置５０の詳細構成については、後で説明する。
【００２１】
＜＜情報処理装置１０の詳細構成＞＞
次に、図２から図４を参照して、本実施形態に係る情報処理装置１０の構成について説明する。図２は、本実施形態に係る情報処理装置１０の外観を示した説明図である。なお、図２においては、図中手前側が情報処理装置１０のユーザ側となる。図３は、本実施形態に係る書類２０の一例を説明する説明図である。さらに、図４は、本実施形態に係る拡張ユニット１４における制御系のブロック図である。
【００２２】
情報処理装置１０は、後述する拡張ユニット１４を自動取引装置１２に連結させることにより構成されている。詳細には、情報処理装置１０は、図２に示すように、図中左側の自動取引装置１２に、当該自動取引装置１２の上面側および側面側を覆う逆Ｌ字型の装置である拡張ユニット１４を連結させることにより構成されている。自動取引装置１２及び拡張ユニット１４を上述のように構成することにより、情報処理装置１０を見たユーザが、自動取引装置１２と拡張ユニット１４とが一体の装置、すなわち、一体の情報処理装置１０であるように認識することができる。
【００２３】
なお、本実施形態においては、拡張ユニット１４は、図２に示すような逆Ｌ字型の装置であることに限定されるものではなく、ユーザから自動取引装置１２と一体の装置であるように認識されるような構成であれば特に限定されるものではない。
【００２４】
＜自動取引装置１２＞
本実施形態に係る自動取引装置１２は、例えば、ユーザの操作に応じて入金、出金等の各種取引を行うための装置である。図２に示されるように、自動取引装置１２は、操作表示部１２０と、カードリーダ部１２２と、通帳記帳部１２４と、紙幣入出金部１２６と、硬貨入出金部１２８とを主に有する。以下に、自動取引装置１２の各機能部について説明する。
【００２５】
（操作表示部１２０）
操作表示部１２０は、自動取引装置１２のユーザと向かい合うように設けられ、操作画面を提示する表示部、及びユーザからの入力操作を検出する操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。なお、本実施形態においては、表示部及び操作部は、操作表示部１２０として一体の部位として設けられていてもよく、それぞれ別個の部位として設けられていてもよい。
【００２６】
（カードリーダ部１２２）
カードリーダ部１２２は、カード読取り機能を有する装置である。カードリーダ部１２２は、ユーザにより挿入されたキャッシュカード等のカード状媒体から、磁気ストライプ及びＩＣ（Ｉｎｔｅｇｒａｔｅｄ  Ｃｉｒｃｕｉｔ)チップに書き込まれた媒体情報（例えば、カード状媒体の所有者を特定するための識別情報）を読取ることができる。また、カードリーダ部１２２は、カード状媒体等の磁気ストライプ及びＩＣチップに情報を書き込むこともできる。さらに、カードリーダ部１２２は、明細票印刷機能を有し、取引結果などを明細票に印刷してユーザに対して明細票を発行することができる。
【００２７】
（通帳記帳部１２４）
通帳記帳部１２４は、通帳等の冊子状媒体に設けられた磁気ストライプの読取り及び書込み、並びに、通帳印字機能を有する。通帳記帳部１２４は、例えば、自動取引装置１２の正面に設けられた通帳挿入排出口にユーザが挿入した冊子状媒体の磁気ストライプから、口座番号等の識別情報等の媒体情報を読取ることができる。
【００２８】
（紙幣入出金部１２６及び硬貨入出金部１２８）
紙幣入出金部１２６及び硬貨入出金部１２８は、ユーザの求めに応じて紙幣及び硬貨の入出金処理を行う。詳細には、入金処理は、例えばユーザが自動取引装置１２の正面に設けられた紙幣入出金口に投入した紙幣及び硬貨入出金口に投入した硬貨に対して、紙幣及び硬貨の種類を識別するとともに紙幣及び硬貨の枚数を計数して収納する処理である。また、出金処理は、例えばユーザの操作に従って指定された金額に相当する紙幣及び硬貨を計数して紙幣入出金口及び硬貨入出金口に搬送して払いだす処理である。
【００２９】
＜拡張ユニット１４＞
本実施形態に係る拡張ユニット１４は、先に説明したように、自動取引装置１２の機能を拡張するために自動取引装置１２に連結させるように設置される。拡張ユニット１４は、図２及び図４に示されるように、表示部１４０と、音声出力部１４２と、撮影部１４４と、収音部１４８と、テーブル１５０と、記入スペース１５２と、操作表示部（操作装置）１５４と、印刷排出口１５６と、印刷部１５８と、書類投函口１６０と、書類収納部１６２と、扉１６４と、制御部１６６と、通信部１６８とを主に有する。以下に、拡張ユニット１４の各機能部について説明する。
【００３０】
（表示部１４０）
表示部１４０は、図２に示すように、ユーザと向かい合う拡張ユニット１４の正面に設けられ、後述する制御部１６６の制御に従って、自動取引装置１２の操作表示部１２０には表示されない種類の情報を表示する。例えば、表示部１４０は、集中センタ（遠隔地）のオペレータ端末（図示省略）から受信されるオペレータの撮影画像などを表示する。
【００３１】
（音声出力部１４２）
音声出力部１４２は、後述する制御部１６６の制御に従って、例えば上記オペレータ端末（図示省略）から受信されるオペレータの発話などの音声を出力する。音声出力部１４２は、例えば、表示部１４０の後ろ側に設置される。
【００３２】
（撮影部１４４）
撮影部１４４は、ユーザの顔画像を例えば動画像として撮影し、例えば、表示部１４０の後ろ側に設置される。
【００３３】
（収音部１４８）
収音部１４８は、後述する制御部１６６の制御に従って、拡張ユニット１４の周囲の音声を収音する。例えば、収音部１４８は、ユーザの発話を収音し、後述する通信部１６８を介して上記オペレータ端末（図示省略）に送信する。収音部１４８は、例えば、表示部１４０の後ろ側に設置される。
【００３４】
（テーブル１５０、記入スペース１５２及び操作表示部１５４）
テーブル１５０は、図２に示すように、表示部１４０の下方に設けられ、自動取引装置１２の操作表示部１２０と略同一の高さを持つ。テーブル１５０は、後述する記入スペース１５２と操作表示部１５４とを含む。例えば、テーブル１５０は、拡張ユニット１４のユーザが着席した状態で、テーブル１５０に載置された書類２０の記入を行うことができる高さであることが好ましい。
【００３５】
また、テーブル１５０におけるユーザから見て右側の領域には、記入スペース１５２が設けられている。当該記入スペース１５２は、ユーザが、書類２０（図３参照）を載置して、書類２０に対して所定の事項（例えば、ユーザの氏名や住所等）を記入するためのスペースである。また、記入スペース１５２には、ユーザが書類２０に記入しやすくするために、マット（図示省略）等が敷いてあってもよい。
【００３６】
さらに、テーブル１５０におけるユーザから見て左側の領域には、ユーザに対して表示を行い、且つ、ユーザからの入力を受け付ける操作表示部１５４が設けられている。操作表示部１５４は、ユーザと拡張ユニット１４との間のインターフェースの役割を果たす。操作表示部１５４は、ユーザに対して表示を行う表示部としての機能を有し、例えば、ＣＲＴディスプレイ装置、ＬＣＤ装置、ＯＬＥＤ装置により実現される。また、操作表示部１５４は、ユーザの拡張ユニット１４に対する各種の入力操作を受け付ける操作部としての機能を有し、例えば、操作表示部１５４に積層されたパネルにより、ユーザの入力操作を受け付ける。
【００３７】
詳細には、操作表示部１５４は、筆記装置５０が接触に伴って発生するデバイス情報（電子記入情報）を取得することにより、ユーザの入力操作を受け付ける。デバイス情報は、位置座標等の、筆記装置５０が操作表示部１５４にどのように接触したかを示す情報を含み、操作表示部１５４は、筆記装置５０のペン先部５００ａ（図５参照）が操作表示部１５４に接触した際に、その接触した位置の座標等のデバイス情報を取得することができる。そして、操作表示部１５４は、筆記装置５０のペン先部５００ａの、操作表示部１５４への接触により得られるデバイス情報を、後述する制御部１６６へ出力する。
【００３８】
操作表示部１５４は、例えば、電磁誘導方式を用いてデバイス情報を取得することができる。具体的には、操作表示部１５４には、操作表示部１５４の面上のＸ軸方向とＹ軸方向とに沿ってマトリックス状に設けられた複数のアンテナコイル（図示省略）からなるアンテナコイル群が設けられている。当該アンテナコイル群の各アンテナコイルは、操作表示部１５４の内部に設けられた高周波源（図示省略）と受信回路（図示省略）とに、コイル切替スイッチ（図示省略）及び送信／受信切替スイッチ（図示省略）を介して接続されている。そして、コイル切替スイッチ及び送信／受信切替スイッチが図示せぬコントローラにより制御されることにより、各アンテナコイルは、高周波源又は受信回路に接続されることができる。なお、操作表示部１５４における、筆記装置５０の接触によるデバイス情報の取得の方法の詳細については、筆記装置５０の詳細構成とともに、後で説明する。
【００３９】
また、本実施形態においては、操作表示部１５４の操作部と表示部とは、一体となって、操作機能と表示機能の両方の機能を包含する操作表示部として構成されることに限定されるものではない。本実施形態においては、例えば、表示部としてのディスプレイ装置及び操作部としてのタッチパネルのように、別体のものとして構成されていてもよい。
【００４０】
（印刷排出口１５６及び印刷部１５８）
印刷排出口１５６は、後述する印刷部１５８が印刷した書類２０をユーザに対して排出するための開口部であり、図２に示すように、ユーザから見てテーブル１５０の奥に設けられ、ユーザ側に開口する。さらに、印刷排出口１５６の奥、すなわち、拡張ユニット１４の内部には、印刷部１５８が設けられている。印刷部１５８は、後述する制御部１６６の制御に従って、文字や画像などの情報を例えばインクやトナーなどを用いて紙状媒体に対して印刷し、印刷によって作成された書類２０（図３参照）を上述の印刷排出口１５６を介してユーザに対して排出する。詳細には、書類２０は、ユーザによって、筆記装置５０を用いて実筆記の形態で記入することが可能な紙状媒体であり、印刷部１５８によって紙状媒体に印刷された、操作表示部１５４においてユーザにより選択された種類の書類である。例えば、書類２０は、入金伝票や出金伝票などの各種伝票や、口座開設申込書などの各種申込書であり、基本的には、金融機関の窓口で取り扱われるほぼ全ての種類の伝票及び申込書である。
【００４１】
例えば、書類２０には、図３に示すように、紙状媒体にマトリックス状に円形の複数のドット２２が薄く印刷されており、さらに、ユーザが氏名や住所等を記入するための範囲を定める枠２４が濃く印刷されている。なお、ドット２２の形態は、図３に示すような形態に限定されるものではなく、後述する筆記装置５０によって書類２０であることが判別することができるような形態であれば、特に限定されない。例えば、ドット２２は、矩形状であってもよく、また、印刷ではなく、あらかじめ書類２０に透かしとして入っていてもよい。また、ドット２２は、書類２０全体に亘って印刷されていなくてもよく、少なくともユーザが記入しようとする位置に印刷されていればよい。
【００４２】
（書類投函口１６０、書類収納部１６２及び扉１６４）
書類投函口１６０は、拡張ユニット１４内にユーザが記入済みの書類２０を投函するための開口部である。具体的には、ユーザが記入済みの帳票などの書類２０を原本として書類投函口１６０に投函することにより、投函された書類２０を金融機関の担当者が回収することができ、これにより、ユーザと金融機関の担当者との間での書類２０の原本の受け渡しが可能となる。詳細には、ユーザによって書類投函口１６０に投函された書類２０は、拡張ユニット１４の内部に誘導され、拡張ユニット１４内の下側に設けられた書類収納部１６２に収納される。そして、書類収納部１６２に収納された書類２０は、金融機関の担当者等によって、拡張ユニット１４の正面下側に設けられた扉１６４を開けることにより、回収されることができる。書類投函口１６０は、図２に示すように、ユーザと向かい合う拡張ユニット１４の正面に設けられている。
【００４３】
（制御部１６６）
制御部１６６は、拡張ユニット１４内に設けられ、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などのハードウェアを中心に構成されており、例えば、印刷部１５８、及び後述する通信部１６８のような拡張ユニット１４の各部を制御する。詳細には、図４に示す拡張ユニット１４における制御系のブロック図のように、制御部１６６は、操作表示部１５４からの入力操作等に基づいて、制御部１６６の有するＲＯＭ等の記憶部（図示省略）から所定のプログラムを読み出して実行することにより、印刷部１５８等を制御することができる。なお、制御部１６６は、拡張ユニット１４の外部に設けられ、拡張ユニット１４と通信ネットワークで接続されていてもよい。
【００４４】
（通信部１６８）
通信部１６８は、例えば専用網（図示省略）などを介して、他の装置との間で情報の送受信を行う。例えば、通信部１６８は、オペレータの撮影画像やオペレータからの指示をオペレータ端末（図示省略）から受信する。さらに、通信部１６８は、制御部１６６の制御に従って、撮影部１４４により撮影されたユーザの顔画像等をオペレータ端末へ送信することができる。
【００４５】
＜＜筆記装置５０の詳細構成＞＞
本実施形態に係る筆記装置５０は、先に説明したように、情報処理装置１０の操作表示部１５４に対して操作を行う際に用いる、ポインティングデバイスである。筆記装置５０のペン先部５００ａ（図５参照）が情報処理装置１０の操作表示部１５４に接触することにより、情報処理装置１０の操作表示部１５４がデバイス情報を取得することができる。さらに、当該筆記装置５０は、先に説明したように、書類２０（図３参照）に対して実筆記する筆記具でもある。当該筆記装置５０の詳細構成を、図５及び図６を参照して説明する。図５は、本実施形態に係る筆記装置５０の構成例を示す説明図であり、図６は、本実施形態に係る筆記装置５０における制御系のブロック図である。
【００４６】
筆記装置５０は、図５に示すように、先端部にペン先部５００ａを有する、筒状の筐体５００と、スイッチ５０２と、電子ペンとして機能するペン芯（電子筆記部材）５１０と、送受信コイル５１２と、フェライトコア５１４と、回路部５１６と、ドライブ回路部５１８と、実筆記のための筆記具として機能するペン芯（実筆記部材）５２０と、撮影部５２２と、判別部（筆記対象検出部）５２４と、切替制御部５２６と、駆動部（切替機構）５３０と、電源５３２と、を主に有する。当該筆記装置５０は、先に説明したように、電子ペンとしての機能と、実筆記のための筆記具としての機能との両方を実現することができる。詳細には、筆記装置５０は、筆記対象となる拡張ユニット１４の操作表示部１５４及び伝票等の書類２０にあわせて、筆記対象に対して筆記する際に当該筆記対象に対向する筐体５００のペン先部（筆記部）５００ａの状態を自動的に切り替えることにより、上述の２つの機能を実現することができる。さらに具体的には、筆記装置５０は、実筆記のための筆記具として機能するペン芯５２０のペン先５２０ａが筐体５００に格納された状態にある場合、すなわち、上記ペン先部５００ａから上記ペン先５２０ａが突出していない状態にある場合には、操作表示部１５４に対応する電子ペンとして機能する。一方、当該筆記装置５０は、上記ペン先部５００ａから上記ペン先５２０ａが突出した状態にある場合には、書類２０に対応する、実筆記のための筆記具として機能する。
【００４７】
＜電子ペン機能について＞
まず、筆記装置５０のうち、筆記装置５０が電子ペンとして機能する際に用いられる機能部について説明する。まず、ペン芯５１０は、操作表示部１５４に電子筆記するための部材である。なお、以下の説明において、電子筆記とは、拡張ユニット１４の操作表示部１５４に接触させることにより、操作表示部１５４に対して入力操作を行うことを意味する。当該ペン芯５１０は、図５に示すように、筐体５００の内部に設けられ、ペン芯５１０の一方の先端は、拡張ユニット１４の操作表示部１５４に接触することとなるペン先部５００ａと接続している。ペン芯５１０のペン先部５００ａ側には、フェライトコア５１４がペン芯５１０を囲むように設けられており、当該フェライトコア５１４には、送受信コイル５１２が巻かれている。また、当該送受信コイル５１２は、筐体５００内に設けられた回路部５１６と電気的に接続されており、当該回路部５１６はコンデンサ（図示省略）を含んでいる。このコンデンサと送受信コイル５１２とは、筆記装置５０の共振回路を構成する。また、回路部５１６は、筐体５００内に設けられたドライブ回路部５１８に電気的に接続されており、ドライブ回路部５１８によって起動されることができる。さらに、ドライブ回路部５１８は、後述する電源５３２と電気的に接続されている。
【００４８】
そして、筆記装置５０を、上記ペン芯５２０のペン先５２０ａが筐体５００に格納された状態において、拡張ユニット１４の操作表示部１５４に筆記装置５０のペン先部５００ａを接触させた場合には、以下のようにして、操作表示部１５４はデバイス情報を取得することができる。まず、上述した操作表示部１５４に設けられたコントローラ（図示省略）の制御により、操作表示部１５４に設けられた送信／受信切替スイッチ（図示省略）が高周波電源（図示省略）側に接続されて、操作表示部１５４に設けられたアンテナコイル（図示省略）が送信状態になる。この場合、当該アンテナコイルに交流電流を流れ、操作表示部１５４の表層部に磁界の変化が生じる。そして、当該磁界変化により、当該アンテナコイルから筆記装置５０の上記共振回路の共振周波数に対応する電磁波が放出（送信）されると、共振現象により筆記装置５０の共振回路に電気エネルギー（電磁誘導電流）が蓄積される。詳細には、共振周波数に対応する電磁波の誘導によって送受信コイル５１２に発生した電流が電気エネルギーとして回路部５１６のコンデンサ（図示省略）に蓄積される。
【００４９】
次に、操作表示部１５４の上記コントローラの制御により、送信／受信切替スイッチが受信回路（図示省略）側に接続されて、上記アンテナコイルは受信状態に切り替わる。当該アンテナコイルが受信状態に切り替わることで、操作表示部１５４は、筆記装置５０から放出される電磁波を検出できるようになる。この際、筆記装置５０は、コンデンサに蓄積された電気エネルギーを用いて送受信コイル５１２に共振電流を流すことにより、電磁波を発信する。この筆記装置５０から放出（送信）された電磁波は、操作表示部１５４の表層部に磁界変化を生じさせ、上記アンテナコイルを介して上記受信回路によって電磁誘導電流として検出（受信）される。さらに、当該受信回路は、検出結果を拡張ユニット１４の制御部１６６に出力する。そして、上記コントローラは、上記アンテナコイルを送信状態及び受信状態に切り替えることを繰り返す。その結果、制御部１６６は、検出結果を出力した各受信回路の位置、及び検出した電磁波の強度に基づいて、筆記装置５０のペン先部５００ａの操作表示部１５４上のＸ、Ｙ方向における位置座標を算出することができる。
【００５０】
＜実筆記機能について＞
次に、筆記装置５０のうち、筆記装置５０が実筆記のための筆記具として機能する際に用いられる各機能部について説明する。ペン芯５２０は、書類２０の実筆記するための部材であり、例えば、インク等を含み、図５に示すように、筐体５００の中心を貫くように設けられる。そして、当該ペン芯５２０の一方の先端は、紙状媒体に接触することにより紙状媒体上に実筆記することができるペン先５２０ａとなっている。具体的には、ペン芯５２０は、ボールペン、サインペン、シャープペン、鉛筆等の芯と同様に構成されることができる。また、当該ペン芯５２０のペン先５２０ａは、筐体５００のペン先部５００ａに設けられた開口部５００ｂから突出するように繰り出されることができる。詳細には、駆動部５３０によりペン芯５２０を筐体５００の長軸に沿って移動させることにより、ペン先５２０ａを上記開口部５００ｂから突出させたり、筐体５００に格納したりすることができる。
【００５１】
撮影部５２２は、筆記装置５０の筐体５００のペン先部５００ａ側に設けられたＣＣＤ（Ｃｈａｒｇｅ-Ｃｏｕｐｌｅｄ  Ｄｅｖｉｃｅ）カメラ、赤外線カメラ等の撮影装置である。撮影部５２２のレンズ部はペン先部５００ａの近傍において筐体５００から露出しており、ペン先部５００ａと対向する物体を撮影することができる。言い換えると、撮影部５２２は、筆記装置５０が記入しようとする筆記対象を撮影することができる。当該撮影部５２２は、ユーザによって筐体５００に設けられたスイッチ５０２が押された場合に起動される。
【００５２】
判別部５２４は、筐体５００内に設けられ、ＣＰＵ、ＲＯＭ、ＲＡＭなどのハードウェアを中心に構成されている。当該判別部５２４は、撮影部５２２から撮影された画像を取得し、当該画像に上述の書類２０に印刷されたドット２２の画像が含まれているかを判別し、判別結果を切替制御部５２６に出力する。なお、判別部５２４の有する記憶部（ＲＡＭ等）には、あらかじめドット２２の画像が記録されており、判別部５２４は、記録されたドット２２の画像を用いて照合することにより、撮影された画像にドット２２の画像が含まれているかを判別することができる。言い換えると、判別部５２４は、撮影部５２２によって撮影された画像を用いて、筆記装置５０のペン先部５００ａと対向する物体、すなわち、筆記対象が、操作表示部１５４及び書類２０のいずれかであるかを判別（検出）することができる。
【００５３】
また、切替制御部５２６は、判別部５２４と同様に、筐体５００内に設けられ、ＣＰＵ、ＲＯＭ、ＲＡＭなどのハードウェアを中心に構成されている。切替制御部５２６は、図６に示すように、判別部５２４から出力された判別結果（検出結果）に基づいて、駆動部５３０を制御する。例えば、切替制御部５２６は、判別部５２４から撮影画像にドット２２の画像が含まれている旨の判別結果を得た場合には、駆動部５３０に対して、ペン先５２０ａがペン先部５００ａの開口部５００ｂから突出するように、ペン芯５２０を筐体５００の長軸に沿って移動させるように制御する。
【００５４】
さらに、駆動部５３０は、筐体５００内に設けられた小型モータ等から構成され、切替制御部５２６の制御に従って、ペン芯５２０を移動させることができる。例えば、駆動部５３０は、ペン先部５００ａから上記ペン先５２０ａが突出している状態にペン芯５２０を移動させることにより、当該ペン先部５００ａを、電子ペンとして機能する状態（第１の筆記状態）から、実筆記のための筆記具として機能する状態(第２の筆記状態)にすることができる。また、駆動部５３０は、ペン芯５２０を上述とは逆に移動させることにより、当該ペン先部５００ａを、実筆記のための筆記具として機能する状態から、電子ペンとして機能する状態に切り替えることもできる。
【００５５】
また、電源５３２は、撮影部５２２、判別部５２４、切替制御部５２６、及び駆動部５３０等を駆動するための電源として、筐体５００内に設けられる。具体的には、電源５３２は、ボタン電池、乾電池等の電池である。さらに、筆記装置５０は、撮影部５２２によってより鮮明な画像を撮影するために、ペン先部５００ａに近傍に、撮影部５２２の撮影範囲を照らすライト（図示省略）を有していてもよい。
【００５６】
＜＜筆記方法＞＞
以上、本実施形態に係る情報処理装置１０及び筆記装置５０の詳細構成について説明した。続いて、図７を参照して、本実施形態に係るシステム１の筆記方法について説明する。図７は、本実施形態に係る筆記方法のフローチャート図である。以下に説明する筆記方法は、図７に示されるようにステップＳ１０１からステップＳ１１３までを含む。
【００５７】
まず、ユーザが、拡張ユニット１４の操作表示部１５４に入力操作するために、又は、書類２０に実筆記するために、筆記装置５０を手にとる。この際、ユーザは、実筆記のための筆記具として筆記装置５０を用いようとする場合には、筆記装置５０に設けられたスイッチ５０２を押す。次いで、ステップＳ１０１へ進む。
【００５８】
（ステップＳ１０１）
筆記装置５０は、ユーザによってスイッチ５０２が押されていることを検出した場合には、ステップＳ１０３へ進む。一方、筆記装置５０は、ユーザによってスイッチ５０２が押されていることを検出しない場合には、ステップＳ１１３へ進む。
【００５９】
（ステップＳ１０３）
筆記装置５０は、ユーザによってスイッチ５０２が押されていることに基づいて、撮影部５２２を起動し、筆記装置５０のペン先部５００ａに対向する物体の撮影を行う。次いで、ステップＳ１０５へ進む。
【００６０】
（ステップＳ１０５）
筆記装置５０は、撮影部５２２によって画像が撮影できたか否かを判別し、次のステップへ進む。詳細には、撮影部５２２によって画像が撮影できた場合には、ステップＳ１０７へ進む。一方、撮影部５２２によって画像を撮影できなかった場合には、ステップＳ１０３へ戻る。
【００６１】
（ステップＳ１０７）
筆記装置５０は、ステップＳ１０３で撮影された画像に、ドット２２の画像が含まれているかを判別し、次のステップへ進む。詳細には、撮影された画像にドット２２の画像が含まれている場合には、ステップＳ１０９へ進む。すなわち、筆記装置５０は、撮影部５２２によって書類２０のドット２２の画像が撮影された場合には、筆記装置５０のペン先部５００ａが書類２０に対向しているとして、ステップＳ１０９へ進む。一方、撮影された画像にドット２２の画像が含まれていない場合には、筆記装置５０のペン先部５００ａが書類２０に対向していないとして、ステップＳ１０５へ戻る。
【００６２】
（ステップＳ１０９）
筆記装置５０は、ステップＳ１０７における判別結果に基づいて、すなわち、筆記装置５０のペン先部５００ａが書類２０に対向しているとする判別結果に基づいて、駆動部５３０を制御する。当該駆動部５３０は、当該制御に従って、ペン芯５２０のペン先５２０ａが筐体５００のペン先部５００ａに位置する開口部５００ｂから突出するように、ペン芯５２０を筐体５００の長軸に沿って移動させる。このようにすることで、筆記装置５０は、実筆記のための筆記具として機能することができる。次いで、ステップＳ１１１へ進む。
【００６３】
（ステップＳ１１１）
筆記装置５０は、ユーザによってスイッチ５０２が押されているか否かを検出する。ユーザによってスイッチ５０２が押されていない場合には、ユーザによる実筆記は完了したものとして、ステップＳ１１３へ進む。一方、ユーザによってスイッチ５０２が押されている場合には、ユーザによる実筆記が継続しているものとして、ステップＳ１０９へ戻る。
【００６４】
（ステップＳ１１３）
筆記装置５０は、駆動部５３０に対して、ペン芯５２０のペン先５２０ａを筐体５００に格納するように、ペン芯５２０を筐体５００の長軸に沿って移動させるように制御し、本実施形態に係る筆記方法を終了する。
【００６５】
ところで、従来のシステムにおいては、操作表示部に入力操作するための電子ペンと、帳票類のような書類に実筆記するための筆記具とを併用して使用することがあり、この際、ユーザが誤って、筆記具を用いて情報処理装置の操作表示部に入力操作をしてしまうことがあった。そして、このような場合、当該筆記具のペン先により操作表示部を傷つけてしまうという問題があった。例えば、金融機関の営業店舗においては、顧客（ユーザ）は、情報処理装置に必要な情報を入力する際、並行して帳票のような書類に対して実筆記により必要事項を記入することがある。この際、顧客は、情報処理装置に入力する電子ペンと、帳票に記入する筆記具とを持ち替えることを忘れ、誤って、筆記具のペン先を情報処理装置の操作表示部の表面に接触させ、操作表示部を傷つけてしまうことがあった。
【００６６】
また、筆記装置が、電子ペンとしての機能と、実筆記のための筆記具としての機能との両方を兼ね備えていた場合であっても、従来の筆記装置においては、ユーザの手動により、電子ペンとしての機能と、実筆記のための筆記具としての機能とを切り替えることになる。このような場合、ユーザが機能の切替を忘れていた場合には、ユーザが、実筆記のための筆記具として機能する状態のまま筆記装置のペン先を操作表示部に接触させてしまうことから、当該ペン先によって操作表示部を傷つけてしまうこととなる。
【００６７】
しかしながら、本実施形態においては、撮影部５２２によって書類２０のドット２２の画像が撮影された場合には、筆記装置５０は、筆記装置５０のペン先部５００ａが書類２０に対向していること判別する。そして、ペン先部５００ａが書類２０に対向していると判別された場合にのみ、ペン芯５２０のペン先５２０ａをペン先部５００ａに設けられた開口部５００ｂから突出させる。すなわち、ペン先部５００ａにおいては、操作表示部１５４に対向しているときには、ペン芯５２０のペン先５２０ａが上記ペン先部５００ａの開口部５００ｂから突出することはない。その結果、ユーザが誤ってペン先５２０ａを情報処理装置１０の操作表示部１５４に接触させることを避けることができる。従って、本実施形態によれば、筆記装置５０によって操作表示部１５４に傷がつくことを防止することが可能である。また、本実施形態は、情報処理装置１０の形態を変更することなく実施することができることから、本実施形態に係るシステム１の導入を容易に行うことができる。
【００６８】
なお、上述の説明では、ステップＳ１１１及びステップＳ１１３において、ユーザによってスイッチ５０２が押されていないことを検出したことをきっかけとして、ペン芯５２０のペン先５２０ａを筐体５００に格納していた。しかしながら、本実施形態においては、これに限定されるものではなく、例えば、撮影部５２２によって継続して撮影を行い、撮影部５２２によって撮影された画像にドット２２の画像が含まれていないと判別したことをきっかけにして、上記ペン先５２０ａを筐体５００に格納してもよい。
【００６９】
また、本実施形態の変形例としては、書類２０に、ドット２２を印刷するのではなく、所定の信号を放射する電子チップをあらかじめ埋め込んでおき、さらに、筆記装置５０に当該電子チップからの信号を検出する検出部を設けておくことを挙げることができる。当該変形例においては、筆記装置５０は、上記検出部を用いて書類２０に埋め込まれた電子チップから放出された所定の信号を例えば近距離通信を用いて検出することができる。そして、筆記装置５０は、所定の信号を検出したことに基づいて、筆記装置５０のペン先部５００ａが書類２０に対向していることを判別することができる。
【００７０】
さらに、本実施形態の変形例においては、情報処理装置１０の操作表示部１５４は、ユーザの手指による入力操作を受け付けるように構成されていてもよい。この場合、システム１には、上述の筆記装置５０の代わりに、実筆記のみを行う筆記用具が含まれていてもよい。当該筆記用具は、上述の筆記装置５０と同様に、筒状の筐体５００と、スイッチ５０２と、実筆記のための筆記具として機能するペン芯５２０と、撮影部５２２と、判別部（筆記対象検出部）５２４と、切替制御部５２６と、駆動部（切替機構）５３０と、電源５３２と、を主に有している。そして、当該撮影部５２２を用いて書類２０を検出した場合にのみ、実筆記のためのペン芯５２０のペン先５２０ａをペン先部５００ａの開口部５００ｂから突出させるようにしてもよい。
【００７１】
＜＜＜第２の実施形態＞＞＞
上述の第１の実施形態においては、筆記装置５０の撮影部５２２を用いて書類２０を検出した場合に、実筆記のためのペン芯５２０のペン先５２０ａをペン先部５００ａの開口部５００ｂから突出させて、ペン先部５００ａを実筆記のための筆記具として機能する状態にしていた。しかしながら、本発明の実施形態においては、このような形態に限定されるものではなく、操作表示部１５４にペン芯５２０のペン先５２０ａが接触しないように、ペン先部５００ａの筆記状態を自動的に切り替えるものであれば、他の形態であってもよい。そこで、第２の実施形態として、操作表示部１５４が検出された場合には、ペン先部５００ａの状態を、実筆記のための筆記具として機能する状態から電子ペンとして機能する状態に自動的に切り替えることができる筆記装置５２及び筆記方法を説明する。
【００７２】
なお、本実施形態においては、システム１、及びシステム１に含まれる情報処理装置１０については、上述の第１の実施形態と共通であり、第１の実施形態のシステム１、情報処理装置１０の説明及び説明図である図１、図２、図４を参照し得る。したがって、ここでは、システム１、及び情報処理装置１０については、説明を省略する。ただし、本実施形態において用いられる書類２０については、ドット２２が印刷されていなくてもよく、一般的な帳票類の形態を持つ書類２０であればよい。
【００７３】
＜＜筆記装置５２の詳細構成＞＞
まず、本実施形態に係る筆記装置５２を説明する。当該筆記装置５２は、第１の実施形態と同様に、情報処理装置１０の操作表示部１５４に対して操作を行う際に用いる、ポインティングデバイスであり、さらに、書類２０に対して実筆記する筆記具でもある。当該筆記装置５２の詳細構成を、図８を参照して説明する。図８は、本実施形態に係る筆記装置５２の構成例を示す説明図である。
【００７４】
当該筆記装置５２は、図８に示すように、先端部にペン先部５００ａを有する、筒状の筐体５００と、スイッチ５０２と、電子ペンとして機能するペン芯（電子筆記部材）５１０と、送受信コイル５１２と、フェライトコア５１４と、回路部５１６と、ドライブ回路部５１８と、実筆記のための筆記具として機能するペン芯（実筆記部材）５２０と、駆動部（切替機構）５３０と、電源５３２と、制御部（切替制御部）５４０と、ガイド部５４２とを主に有する。そして、当該筆記装置５２も、電子ペンとしての機能と、実筆記のための筆記具としての機能との両方を実現することができる。詳細には、筆記装置５２も、筆記対象となる拡張ユニット１４の操作表示部１５４及び伝票等の書類２０にあわせて、筆記対象に対して筆記する際に筆記対象に対向する筐体５００のペン先部（筆記部）５００ａの状態を自動的に切り替えることにより、上述の２つの機能を実現することができる。さらに詳細には、当該筆記装置５２は、上記ペン先部５００ａから、電子ペンとして機能するペン芯（電子筆記部材）５１０のペン先５１０ａが突出した状態にある場合には、操作表示部１５４に対応する電子ペンとして機能する。一方、当該筆記装置５２は、上記ペン先部５００ａから、実筆記のための筆記具として機能するペン芯（実筆記部材）５２０のペン先５２０ａが突出した状態にある場合には、書類２０に対応する、実筆記のための筆記具として機能する。
【００７５】
ペン芯５１０は、操作表示部１５４に対応する電子ペンとして機能し、図８に示すように、筐体５００の内部に設けられ、筐体５００の長軸に沿って移動することができる。なお、本実施形態のペン芯５１０は、弾性的な材料から形成されており、筐体５００内に設けられたガイド部５４２や筐体５００の内壁に沿って曲がったり、元の直線状の形状に戻ったりすることができる。また、ペン芯５１０の一方の先端は、拡張ユニット１４の操作表示部１５４に接触するペン先５１０ａであり、ペン芯５１０が筐体５００内を移動することにより、筐体５００のペン先部５００ａに設けられた開口部５００ｂから突出したり、筐体５００内に格納されたりすることができる。なお、筆記装置５２のうち、電子ペンとして機能する各機能部である、ペン芯５１０と、送受信コイル５１２と、フェライトコア５１４と、回路部５１６と、ドライブ回路部５１８とについては、基本的には、第１の実施形態の筆記装置５０と共通するため、ここではこれらについての説明を省略する。また、情報処理装置１０の操作表示部１５４が、筆記装置５２の電子ペン機能を用いてデバイス情報を取得する際の方法についても、第１の実施形態と同様である。ただし、本実施形態においては、ユーザは、筐体５００に設けられたスイッチ５０２を押すことにより、電子ペンとして機能するこれら機能部（例えば、送受信コイル５１２と、回路部５１６のコンデンサ（図示省略）とから構成される共振回路）を起動させることができる。
【００７６】
また、筆記装置５０は、ペン芯５１０のペン先５１０ａが筐体５００に格納されている状態において、ペン芯５１０に設けられた送受信コイル５１２及び回路部５１６のコンデンサ（図示省略）によって構成される共振回路によって、当該共振回路の共振周波数に対応する電磁波を検出することができる。すなわち、筆記装置５２は、ペン芯５１０のペン先５１０ａが筐体５００に格納されている状態において、ユーザが筆記装置５２のペン先部５００ａを操作表示部１５４に近づけた場合には、当該共振回路により、操作表示部１５４のアンテナコイル（図示省略）からの電磁波を検出することができる。従って、上記共振回路は、筆記装置５２のペン先部５００ａに対向する操作表示部１５４を検出する検出部（筆記対象検出部）として機能することができ、操作表示部１５４を検出した場合には、当該検出結果を後述する制御部５４０に出力する。
【００７７】
また、ペン芯５２０は、書類２０に実筆記する筆記具として機能し、図８に示すように、筐体５００の内部に設けられ、筐体５００の長軸に沿って移動することができる。なお、本実施形態のペン芯５２０は、上記ペン芯５１０と同様に、弾性的な材料から形成されており、筐体５００内に設けられたガイド部５４２や筐体５００の内壁に沿って曲がったり、元の直線状の形状に戻ったりすることができる。さらに、ペン芯５２０の一方の先端は、書類２０に接触するペン先５２０ａであり、ペン芯５２０が筐体５００内を移動することにより、筐体５００のペン先部５００ａに設けられた開口部５００ｂから突出したり、筐体５００内に格納されたりすることができる。
【００７８】
また、上述のペン芯５１０、５２０は、筐体５００内に設けられたガイド部５４２及び筐体５００の内壁に誘導されることにより、筐体５００内を筐体５００の長軸方向に沿って移動することができる。さらには、ペン芯５１０、５２０は、弾性的な材料から形成されていることから、ペン芯５１０、５２０のペン先５１０ａ、５２０ａ側を曲げて、それぞれのペン先５１０ａ、５２０ｂがペン先部５００ａの開口部５００ｂから突出させるように、移動することができる。
【００７９】
そして、制御部５４０は、図８に示すように、筐体５００内に設けられ、ＣＰＵ、ＲＯＭ、ＲＡＭなどのハードウェアを中心に構成され、筆記装置５２の駆動部５３０を制御することができる。例えば、制御部５４０は、上述の共振回路から操作表示部１５４を検出した旨の検出結果を取得した場合には、駆動部５３０に対して、実筆記のための筆記具として機能するペン芯５２０のペン先５２０ａを筐体５００に格納するように、ペン芯５２０を筐体５００の長軸に沿って移動させるように制御することができる。この際、制御部５４０は、駆動部５３０に対して、電子ペンとして機能するペン芯５１０のペン先５１０ａがペン先部５００ａの開口部５００ｂから突出するように、ペン芯５１０を筐体５００の長軸に沿って移動させるように制御することもできる。
【００８０】
駆動部５３０は、図８に示すように、筐体５００内に設けられ、上述の制御部５４０の制御に従って、ペン芯５１０、５２０を筐体５００内で移動させ、筆記装置５２のペン先部５００ａの状態（筆記状態）を切り替えることができる。具体的には、駆動部５３０は、ペン芯５２０のペン先５２０ａを筐体５００に格納するようにペン芯５２０を移動させ、ペン芯５１０のペン先５１０ａを開口部５００ｂから突出するように、ペン芯５１０を移動させることができる。このようにして、駆動部５３０は、筆記装置５２のペン先部５００ａを、実筆記のための筆記具として機能する状態（第２の筆記状態）から電子ペンとして機能する状態（第１の筆記状態）に切り替えることができる。また、駆動部５３０は、ペン芯５１０、５２０を上述とは逆に移動させることにより、筆記装置５２のペン先部５００ａを、電子ペンとして機能する状態から、実筆記のための筆記具として機能する状態に切り替えることもできる。なお、ここではペン芯５１０、５２０の双方を移動させるものとして説明しているが、片方を固定して、もう片方を移動させるようにしてもよい。例えば、第１の実施形態とは逆に、ペン芯５２０を筆記可能な状態で固定し、ペン芯５１０のペン先５１０ａをペン芯５２０のペン先５２０ａより突出するように繰り出したり（電子ペンとして機能する状態）、逆にペン先５２０ａの方が突出するような位置に移動させたり（実筆記のための筆記具として機能する状態）することにより、ペン先部５００ａの状態（筆記状態）を切り替えるようにしてもよい。
【００８１】
＜＜筆記方法＞＞
以上、本実施形態に係る筆記装置５２の詳細構成について説明した。続いて、図９を参照して、本実施形態に係るシステム１の筆記方法について説明する。図９は、本実施形態に係る筆記方法のフローチャート図である。以下に説明する筆記方法は、図９に示されるようにステップＳ２０１からステップＳ２１１までを含む。
【００８２】
まず、ユーザが、操作表示部１５４に入力操作、又は、書類２０に実筆記するために、筆記装置５２を手にとる。この際、ユーザは、操作表示部１５４に入力操作するための電子ペンとして筆記装置５２を用いようとする場合には、筆記装置５２に設けられたスイッチ５０２を押す。次いで、ステップＳ１０１へ進む。
【００８３】
（ステップＳ２０１）
筆記装置５２は、ユーザによってスイッチ５０２が押されていることを検出した場合には、ステップＳ２０３へ進む。一方、筆記装置５２は、ユーザによってスイッチ５０２が押されていることを検出しない場合には、ステップＳ２１１へ進む。
【００８４】
（ステップＳ２０３）
筆記装置５２は、上述の共振回路を起動する。次いで、ステップＳ２０５へ進む。
【００８５】
（ステップＳ２０５）
筆記装置５２は、上記共振回路によって電磁波を検出できたか否かを判別し、次のステップへ進む。詳細には、上記共振回路によって共振回路の共振周波数に対応する電磁波が検出された場合には、筆記装置５２のペン先部５００ａが操作表示部１５４に対向している判別されたとして、ステップＳ２０７へ進む。一方、上記共振回路によって共振回路の共振周波数に対応する電磁波が検出されない場合には、ステップＳ２０５へ戻る。
【００８６】
（ステップＳ２０７）
筆記装置５２は、ステップＳ２０５における判別結果に基づいて、すなわち、筆記装置５０のペン先部５００ａが操作表示部１５４に対向しているとする判別結果に基づいて、駆動部５３０を制御する。当該駆動部５３０は、当該制御に従って、実筆記のための筆記具として機能するペン芯５２０のペン先５２０ａを筐体５００に格納するようにペン芯５２０を移動させ、さらに、電子ペンとして機能するペン芯５１０のペン先５１０ａを開口部５００ｂから突出するようにペン芯５１０を移動させる。このようにすることで、筆記装置５２は、実筆記のための筆記具として機能する状態から、電子ペンとして機能する状態へ自動的に切り替えられる。次いで、ステップＳ２０９へ進む。
【００８７】
（ステップＳ２０９）
筆記装置５２は、ユーザによってスイッチ５０２が押されているか否かを検出する。ユーザによってスイッチ５０２が押されていない場合には、ユーザによる操作表示部１５４に対する入力操作は完了したものとして、ステップＳ２１１へ進む。一方、ユーザによってスイッチ５０２が押されている場合には、ユーザによる操作表示部１５４に対する入力操作は継続しているものとして、ステップＳ２０７へ戻る。
【００８８】
（ステップＳ２１１）
筆記装置５２は、駆動部５３０に対して、ペン芯５１０のペン先５１０ａを筐体５００に格納するように、ペン芯５１０を筐体５００の長軸に沿って移動させるように制御する。当該駆動部５３０は、上記制御に従って、電子ペンとして機能するペン芯５１０のペン先５１０ａを筐体５００に格納するようにペン芯５１０を移動させ、さらに、実筆記のための筆記具として機能するペン芯５２０のペン先５２０ａを開口部５００ｂから突出するようにペン芯５２０を移動させる。このようにすることで、筆記装置５２は、電子ペンとして機能する状態から、実筆記のための筆記具として機能する状態へ自動的に切り替えられる。そして、本実施形態に係る筆記方法を終了する。また、本ステップＳ２１１においては、上記ペン芯５２０のペン先５２０ａを開口部５００ｂから突出するようにペン芯５２０を移動させる動作を行わなくてもよい。この場合には、筆記装置５２は、電子ペンとして機能する状態から、電子ペン及び実筆記のための筆記具として機能しない状態（第３の状態）へ自動的に切り替えられる。
【００８９】
本実施形態においては、筆記装置５２の共振回路によって操作表示部１５４からの電磁波を検出することにより、筆記装置５２は、筆記装置５０のペン先部５００ａが操作表示部１５４に対向していること判別する。そして、ペン先部５００ａが操作表示部１５４に対向していると判別された場合には、筆記装置５２は、実筆記のための筆記具として機能するペン芯５２０のペン先５２０ａを筐体５００に格納するようにペン芯５２０を移動させる。さらに、筆記装置５２は、電子ペンとして機能するペン芯５１０のペン先５１０ａをペン先部５００ａの開口部５００ｂから突出するようにペン芯５１０を移動させる。このようにすることで、本実施形態によれば、ユーザが誤ってペン先５２０ａを操作表示部１５４に接触させることを避けることができる。従って、本実施形態によれば、筆記装置５２によって操作表示部１５４に傷がつくことを防止することが可能である。また、本実施形態は、情報処理装置１０の形態を変更することなく実施することができることから、本実施形態に係るシステム１の導入を容易に行うことができる。
【００９０】
＜＜＜変形例＞＞＞
また、上述の第２の実施形態においては、駆動部５３０により、実筆記のための筆記具として機能するペン芯５２０を移動させて、筆記装置５２のペン先部５００ａの筆記状態を自動的に切り替えていた。しかしながら、本実施形態においては、このような形態に限定されるものではない。そこで、上述の形態とは異なる、本実施形態の変形例の１つを説明する。
【００９１】
本変形例においては、筆記装置５２に、一般的に市販されているノック式ボールペンのように、筆記装置５２の筐体５００に、ノック部（図示省略）を設ける（例えば、当該ノック部は、筐体５００のうち、ペン先部５００ａと反対側の先端に設けられる）。当該ノック部は、ユーザによってノックされることにより（すなわち手動により）、実筆記のための筆記具として機能するペン芯５２０のペン先５２０ａをペン先部５００ａの開口部５００ｂから繰り出すことができる。さらに、本変形例においては、筆記装置５２の筐体５００内に、上記ペン先５２０ａを開口部５００ｂから突出した状態に保持するロック部（図示省略）と、ロック部による保持が解除された場合に、上記ペン先５２０ａを筐体５００に格納するようにペン芯５２０を移動させることができる付勢部材（図示省略）とを設ける。
【００９２】
まず、先に説明したように、ユーザによって上記ノック部がノックされることにより、当該筆記装置５２は、ペン芯５２０のペン先５２０ａがペン先部５００ａの開口部５００ｂから突出した状態にある。このような状態において、上述の第２の実施形態のステップＳ２０５において、筆記装置５２の共振回路によって電磁波が検出された場合（筆記装置５２によって操作表示部１５４が検出された場合）には、ステップＳ２０７へ進み、制御部５４０は、上記ロック部に対して保持を解除するよう制御する。そして、ロック部の保持が解除されることにより、ペン芯５２０は、ペン先５２０ａが開口部５００ｂから突出した状態に保持されなくなる。さらに、上述の状態に保持されなくなったペン芯５２０には上記付勢部材による付勢力が働き、ペン芯５２０は、ペン先５２０ａを筐体５００に格納するように移動する。このようにすることで、ペン芯５２０を筐体５００内で移動させる機構を駆動するための電源が必要なくなることから、筆記装置５２をより省電力な装置にすることができる。
【００９３】
＜＜＜まとめ＞＞＞
上述の第１及び第２の実施形態に係るシステム１は、筆記装置５０（５２）の接触に伴って発生するデバイス情報を受け付ける情報処理装置１０と、筆記装置５０（５２）とを含むものに限定されるものではない。これら実施形態に係るシステムは、例えば、変形例に係るシステム２の構成例を示す説明図である図１０に示すように、上述の筆記装置５０（５２）と、タブレットＰＣ（Ｐｅｒｓｏｎａｌ  Ｃｏｍｐｕｔｅｒ）やスマートフォン等のような、筆記装置５０（５２）の接触による入力操作を受け付ける操作表示部６０１を有する入力装置６０とを含む、システム２であってもよい。すなわち、これら実施形態に係る筆記装置５０（５２）の筆記対象は、実筆記により記入することができる書類２０及び筆記装置５０（５２）の接触に伴って発生するデバイス情報を受け付ける情報処理装置１０の操作表示部１５４に限定されるものではなく、上述のような入力装置６０であってもよい。
【００９４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９５】
また、上述した各実施形態の処理における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。さらに、各ステップの処理方法についても、必ずしも記載された方法に沿って処理されなくてもよく、例えば、他の機能部によって処理されていてもよい。
【符号の説明】
【００９６】
１、２    システム
１０    情報処理装置
１２    自動取引装置
１４    拡張ユニット
２０    書類
２２    ドット
２４    枠
５０、５２    筆記装置
６０    入力装置
１２０、１５４、６０１    操作表示部
１２２    カードリーダ部
１２４    通帳記帳部
１２６    紙幣入出金部
１２８    硬貨入出金部
１４０    表示部
１４２    音声出力部
１４４    撮影部
１４８    収音部
１５０    テーブル
１５２    記入スペース
１５６    印刷排出口
１５８    印刷部
１６０    書類投函口
１６２    書類収納部
１６４    扉
１６６、５４０    制御部
１６８    通信部
５００    筐体
５００ａ    ペン先部
５００ｂ    開口部
５０２    スイッチ
５１０、５２０    ペン芯
５１０ａ、５２０ａ    ペン先
５１２    送受信コイル
５１４    フェライトコア
５１６    回路部
５１８    ドライブ回路部
５２２    撮影部
５２４    判別部
５２６    切替制御部
５３０    駆動部
５３２    電源
５４２    ガイド部
【図１】
2017215632.tif 000003
【図２】
2017215632.tif 000004
【図３】
2017215632.tif 000005
【図４】
2017215632.tif 000006
【図５】
2017215632.tif 000007
【図６】
2017215632.tif 000008
【図７】
2017215632.tif 000009
【図８】
2017215632.tif 000010
【図９】
2017215632.tif 000011
【図１０】
2017215632.tif 000012